(57)【要約】【課題】作業者が対象となる号機で点検などの保守作業を行ったことを確実に判定して登録できるようにする。【解決手段】作業者が所持する携帯端末２０と、エレベーターの保守作業実績を管理するサーバ１とを備える。携帯端末２０は、サーバ１から送信されたスケジュールで示された識別情報と、通信を行ったエレベーター４０から送信された識別情報とが一致するかを比較し、比較で識別情報が一致したとき、保守対象のエレベーターの特定箇所の操作パターンを作業者に指示する。そして、指示の後にエレベーター４０から伝送された操作応答が、操作パターンに基づく場合に、保守対象のエレベーター４０の作業実績をサーバ１に送信する。【選択図】図１
2019048712.tif 000002
【特許請求の範囲】
【請求項１】
作業者が所持し、エレベーター側と通信が可能な携帯端末と、
エレベーターの保守作業のスケジュール及び識別情報を記憶し、前記携帯端末に対して作業を行うエレベーターの識別情報を送信すると共に、前記携帯端末が取得した情報を受信し、前記携帯端末から受信した情報に基づいてエレベーターの点検の作業実績を管理するサーバと、を備え、
前記携帯端末は、前記サーバから送信されたスケジュールで示された識別情報と、通信を行ったエレベーターから送信された識別情報とが一致するか否かを比較し、この比較の結果、識別情報が一致した場合には、保守対象のエレベーターの特定箇所の操作パターンを前記作業者に指示し、この指示の後にエレベーターから伝送された操作応答が、前記操作パターンに基づく場合に、保守対象のエレベーターの作業実績を前記サーバに送信するようにした
エレベーター保守作業管理システム。
【請求項２】
前記携帯端末が指示する特定箇所の操作パターンは、保守対象のエレベーターの乗りかごに配置されたボタン又はスイッチの操作のパターンである
請求項１に記載のエレベーター保守作業管理システム。
【請求項３】
前記携帯端末は、スケジュールで示された作業を行う内容が、乗りかご内での作業であるとき、乗りかご内のボタン又はスイッチの操作パターンを指示し、スケジュールで示された作業を行う内容が、乗りかごの上での作業であるとき、乗りかごの上に設置されたボタン又はスイッチの操作パターンを指示するようにした
請求項２に記載のエレベーター保守作業管理システム。
【請求項４】
前記携帯端末は、スケジュールで示された作業を行う内容が、機械室での作業であるとき、機械室に配置されたボタン又はスイッチの操作パターンを指示するようにした
請求項１に記載のエレベーター保守作業管理システム。
【請求項５】
前記携帯端末は、スケジュールで示された作業を行う内容が、昇降路の下部のピットでの作業であるとき、ピットに配置されたボタン又はスイッチの操作パターンを指示するようにした
請求項１に記載のエレベーター保守作業管理システム。
【請求項６】
作業者が所持した携帯端末を使って、エレベーターの保守作業を管理するエレベーター保守作業管理方法において、
前記携帯端末は、エレベーターの点検作業のスケジュールから、点検を実行するエレベーターの識別情報を取得し、
取得した識別情報と、通信を行ったエレベーターから送信された識別情報とが一致するか否かを比較し、
前記比較の結果、識別情報が一致したとき、保守対象のエレベーターの特定箇所の操作パターンを前記作業者に指示し、
前記指示の後にエレベーターから伝送された操作応答が、前記操作パターンに基づく場合に、保守対象のエレベーターの作業実績を得るようにした
エレベーター保守作業管理方法。
【発明の詳細な説明】
【技術分野】
【０００１】
本発明は、エレベーター保守作業管理システム及びエレベーター保守作業管理方法に関する。
【背景技術】
【０００２】
従来、エレベーターの保守点検を行う作業者を支援するシステムが各種開発されている。例えば、特許文献１には、エレベーターの保守点検を行う作業者が携帯する保守端末に搭載されたＧＰＳ（Global Positioning System）を利用した測位機能により、作業者の位置情報を取得し、その取得した位置に基づいて、保守点検対象のエレベーターの作業開始や作業終了を登録する技術が記載されている。
【０００３】
特許文献１に記載される技術は、作業者の位置情報に基づいて、保守点検対象のエレベーターの作業開始や作業終了を登録するようにしている。すなわち、作業者が携帯する保守端末の位置が、保守点検対象のエレベーターの近傍であることを検出することで、作業者は、該当するエレベーターの保守作業の開始や終了の登録を行い、当日の作業スケジュールの進行状況を登録することができるというものである。
【先行技術文献】
【特許文献】
【０００４】
【特許文献１】特開２０１４−５１３７６号公報
【発明の概要】
【発明が解決しようとする課題】
【０００５】
しかしながら、ＧＰＳなどの測位機能は、技術の進化により測位精度が向上しているものの、測位される位置が実際の位置と数メートル単位でずれることがある。また、建物内では衛星からの信号を受信できないため、ＧＰＳでは、建物内の正確な位置を測位することは困難である。
【０００６】
このため、建物内に複数台のエレベーターが設置された場合、作業者が携帯した保守端末では、測位位置からどの建物内にいるか判断できても、建物内のどのエレベーターについて保守作業を行っているのかを正確に判断することは困難である。
したがって、測位機能を利用する場合であっても、複数台のエレベーターが設置された建物の場合には、どの号機のエレベーターを作業したのかを、作業者が手作業で保守端末に入力する必要がある。このような手作業での入力を行うようにすると、作業者は、誤って別の号機のエレベーターを点検済みと登録してしまう誤登録の可能性がある。
【０００７】
また、測位位置だけを使ってエレベーターの保守端末に作業の開始や終了を登録する場合、点検などの作業が、予め決められた点検スケジュールで指示された通りに、必要な箇所を正しく点検したかどうかをシステム側が判断することは難しいという問題もある。例えば、乗りかごの上に搭載された機器の点検が必要な場合であっても、作業者が本当に乗りかごの上に乗って、必要な点検作業を行ったかどうかを、システム側が判断することは困難であった。
【０００８】
本発明は、作業者が対象となる号機で点検などの作業を行ったことを確実に判定して登録できるエレベーター保守作業管理システム及びエレベーター保守作業管理方法を提供することを目的とする。
【課題を解決するための手段】
【０００９】
上記課題を解決するために、例えば特許請求の範囲に記載の構成を採用する。
本発明は上記課題を解決する手段を複数含んでいるが、その一例を挙げるならは、作業者が所持し、エレベーター側と通信が可能な携帯端末と、エレベーターの点検作業のスケジュール及び識別情報を記憶し、携帯端末に対して保守作業を行うエレベーターの識別情報を送信すると共に、携帯端末が取得した情報を受信し、携帯端末から受信した情報に基づいてエレベーターの保守作業実績を管理するサーバと、を備えたエレベーター保守作業管理システムである。
そして、携帯端末は、サーバから送信されたスケジュールで示された識別情報と、通信を行ったエレベーターから送信された識別情報とが一致するかを比較し、この比較の結果、識別情報が一致したとき、保守対象のエレベーターの特定箇所の操作パターンを作業者に指示し、この指示の後にエレベーターから伝送された操作応答が、操作パターンに基づく場合に、保守対象のエレベーターの作業実績をサーバに送信するようにしたことを特徴とする。
【発明の効果】
【００１０】
本発明によれば、スケジュールで示された識別情報と、エレベーターから取得した識別情報とを比較することにより、保守対象のエレベーターを確認することができる。さらに、携帯端末が指示した操作パターンでの操作を、作業員が該当するエレベーターで行うので、作業員が確実にそのエレベーターで作業していることを確認することができ、間違いのない作業実績の報告ができるようになる。
上記した以外の課題、構成及び効果は、以下の実施形態の説明により明らかにされる。
【図面の簡単な説明】
【００１１】
【図１】本発明の一実施の形態例によるシステム全体の例を示す構成図である。
【図２】本発明の一実施の形態例によるエレベーターの例を示す断面図である。
【図３】本発明の一実施の形態例による乗りかご内の運転盤のボタン配置例を示す説明図である。
【図４】本発明の一実施の形態例による作業実績の登録例を示すフローチャートである。
【発明を実施するための形態】
【００１２】
以下、本発明の一実施の形態例（以下、「本例」と称する）を、添付図面を参照して説明する。
【００１３】
［１．システム全体の構成］
図１は、本例のエレベーター保守作業管理システムの全体構成例を示す。
本例のシステムは、サーバ１と、携帯端末２０とを備える。サーバ１は、エレベーターの保守作業を管理する会社などに設置される。なお、本明細書で保守作業と述べた場合には、作業員により実行される様々な作業（異常がないかの点検作業、調整や部品交換などを行う作業など）が含まれる。
携帯端末２０は、エレベーターの保守作業を行う作業員が所持する端末であり、広域ネットワーク１０を介してサーバ１と情報の送受信を行うことができる。広域ネットワーク１０は、インターネットやＬＴＥ（Long Term Evolution）、ＬＡＮ（Local Area Network）等に代表される広域通信回線網であり、各種データのやり取りを司っている。また、携帯端末２０は、保守作業を行うエレベーター４０側と通信を行うこともできる。
【００１４】
サーバ１は、送受信部２、制御部３、記憶部４、及び作業スケジュール送信部５を備える。なお、サーバ１は、保守作業を行うエレベーター４０とは異なる建物内に敷設される。
制御部３は、サーバ１の全体の動作を司るものであり、例えばＣＰＵ（Central Processing Unit）として構成され、所定のＯＳ（Operation System）によりプログラムを実行することで作動する。
【００１５】
記憶部４は、データを保存する格納領域を持ち、作業スケジュール４Ａ、固有ＩＤ４Ｂ、及び作業実績４Ｃが格納されている。
作業スケジュール４Ａは、エレベーターの保守作業内容や巡回スケジュールを含むエレベーターの保守点検作業計画である。具体的には、どのエレベーターについて、いつ、どのような保守作業（点検作業）を行うのかのスケジュールが作業スケジュール４Ａに保存される。この作業スケジュール４Ａは、例えば、前の月までに作業管理者などが計画するのが一般的であり、図示しない別の作業スケジュールの登録システムで作成される。この作業スケジュールの登録システムで作成された作業スケジュールが、記憶部４の作業スケジュール４Ａの領域に格納される。
【００１６】
記憶部４の固有ＩＤ４Ｂの領域には、作業スケジュール４Ａで計画されるエレベーターを識別する識別情報であるＩＤ情報が格納される。このＩＤ情報は、サーバ１が管理する全てのエレベーターに付与された固有の情報である。
記憶部４の作業実績４Ｃの領域には、作業スケジュール４Ａで計画した点検作業の実施状況を示す作業実績情報が格納される。この作業実績情報は、携帯端末２０からのデータ通信で取得される。
作業スケジュール送信部５は、作業員の所持する携帯端末２０から要請があった場合に、記憶部４に格納された作業スケジュール４Ａを携帯端末２０へ送信する。
【００１７】
作業員が所持する携帯端末２０は、例えばタブレット型コンピュータ装置で構成される。この携帯端末２０は、送受信部２１、制御部２２、記憶部２３、操作表示部２４、作業スケジュール取得部２５、操作パターン生成部２６、操作指令部２７、エレベーター状態取得部２８、比較判定部２９、及び作業実績送信部３０を備える。
【００１８】
送受信部２１は、２つのデータ通信部を有している。１つ目のデータ通信部は、広域ネットワーク１０と接続し、サーバ１と各種データを送受信する。２つ目のデータ通信部は、図示しない通信ケーブル等でエレベーター４０側と接続し、各種データを送受信する。
制御部２２は、携帯端末２０の全体の動作を司るものであり、例えばＣＰＵで構成され、所定のＯＳの実行で作動する。
記憶部２３は、データを保存する格納領域であり、作業スケジュール２３Ａ、固有ＩＤ（スケジュール指示ＩＤ）２３Ｂ、固有ＩＤ（受信ＩＤ）２３Ｃ、運転状態２３Ｄ、作業実績２３Ｅを格納する領域を有する。
【００１９】
作業スケジュール２３Ａと固有ＩＤ（スケジュール指示ＩＤ）２３Ｂは、サーバ１の記憶部４に格納されている作業スケジュール４Ａと固有ＩＤ４Ｂと同じ内容のものであり、作業スケジュール取得部２５の指令によりサーバ１から取得される。なお、携帯端末２０がサーバ１から作業スケジュール２３Ａを取得する際には、この携帯端末２０を使用する作業員の識別情報に基づいて、該当する作業員の作業スケジュールを取得する。
【００２０】
固有ＩＤ（受信ＩＤ）２３Ｃは、エレベーター４０側から取得される。
運転状態２３Ｄは、後述するエレベーター４０の記憶部４３に格納される運転状態４３Ｂと同じものであり、エレベーター状態取得部２８の指令により取得される。
作業実績２３Ｅは、作業スケジュール２３Ａに対する点検作業の実施状況を示す作業実績情報であり、作業者による操作表示部２４の操作で登録される。
【００２１】
操作表示部２４は、作業者へ点検作業の内容を示したり、作業実績を入力させたりするディスプレイである。作業スケジュール取得部２５は、サーバ１に対し、送受信部２１と広域ネットワーク１０を介して、記憶部４に格納される作業スケジュール４Ａ及び固有ＩＤ４Ｂの取得を指令する。また、作業スケジュール取得部２５は、取得した作業スケジュール４Ａ及び固有ＩＤ４Ｂを、記憶部２３に格納する。
【００２２】
操作パターン生成部２６は、予め決められた複数のボタン（又はスイッチ）を、ランダムに、かつ１つずつ順に任意数選択し、生成する。操作指令部２７は、操作パターン生成部２６で生成されたパターンを、操作表示部２４に表示し、作業者に操作を指示する。エレベーター状態取得部２８は、送受信部２１を介して、後述するエレベーター４０の記憶部４３から、運転状態４３Ｂを取得する。
【００２３】
比較判定部２９は、記憶部２３に格納される固有ＩＤ（スケジュール指示ＩＤ）２３Ｂと固有ＩＤ（受信ＩＤ）２３Ｃとを比較し、両者が一致しているか否かを判定する。また、比較判定部２９は、操作パターン生成部２６が生成したパターンと、記憶部２３に格納されるエレベーターの運転状態２３Ｄを比較し、生成したパターン通りにエレベーターのボタンが押下（又はスイッチが操作）されたか否かを判定する。作業実績送信部３０は、記憶部２３に登録された作業実績２３Ｅを送受信部２１と広域ネットワーク１０を介して、サーバ１に送信する。このサーバ１への送信は、作業者による操作表示部２４からの入力により行われる。
【００２４】
エレベーター４０は、所定の建物内に設置され、送受信部４１、制御部４２、記憶部４３、運転盤４４、運転状態捕捉部４５を備える。
送受信部４１は、通信ケーブル等を介して携帯端末２０と接続され、データの送受信を行う。制御部４２は、エレベーター４０の動作を司るものであり、例えばＣＰＵで構成され、所定のＯＳの実行で作動する。記憶部４３は、固有ＩＤ４３Ａと運転状態４３Ｂを格納する領域を有する。固有ＩＤ４３Ａは、エレベーター４０を識別するＩＤ情報であり、このエレベーター４０に付与された固有ＩＤである。運転状態４３Ｂは、運転状態捕捉部４５が格納するエレベーター４０の運転状態である。
【００２５】
運転盤４４は、後述する図２に示すように、乗りかご内運転盤４４−１と、かご上運転盤４４−２とを有する。乗りかご内運転盤４４−１には、呼び登録ボタン、開閉ボタンなどが配置される。
運転状態捕捉部４５は、エレベーターの各機器（ボタン、スイッチ、モーター等）の動作状態を時系列的に捕捉し、記憶部４３に格納する。
【００２６】
［２．エレベーターの構成例］
図２は、エレベーター４０の構成例を示す。
エレベーター４０は、建物内の昇降路１０１に設置される。昇降路１０１の上部には、機械室１０２が配置される。昇降路１０１には、メインロープ１３１に一端が接続された乗りかご１２０が配置される。メインロープ１３１の他端には釣り合いおもり１３３が接続され、機械室１０２に設置された巻き上げ機１３２による巻き上げで、乗りかご１２０が走行する。また、乗りかご１２０にはガバナロープ１５１が接続され、このガバナロープ１５１が巻き掛けられたガバナ１５２が機械室１０２に設置される。
なお、機械室１０２には、機械室スイッチ１４０が設置され、ガバナ１５２のオン・オフなどの操作ができるようになっている。この機械室スイッチ１４０の操作状況は、運転状態捕捉部４５（図１）に送られる。
【００２７】
昇降路１０１の下部のピット１０３には、緩衝器１０４、フロートスイッチ１０５、ピットスイッチ１０６、及び地震計１０７が配置される。緩衝器１０４は、万が一の乗りかご１２０の落下時の衝撃を緩和するものである。フロートスイッチ１０５は、ピット１０３が浸水したとき作動する。ピットスイッチ１０６は、ピット１０３内で作業者が操作するものである。このピットスイッチ１０６は、例えば乗りかご１２０の走行を止めて、ピット１０３での作業の安全性を確保するためのものである。地震計１０７は、地震発生を検知するものである。
フロートスイッチ１０５と、ピットスイッチ１０６と、地震計１０７の作動状況も、運転状態捕捉部４５に送られる。
【００２８】
乗りかご１２０の内部１２１には、乗りかご内運転盤４４−１が配置される。
図３は、乗りかご内運転盤４４−１の一例を示すものである。この図３に示す乗りかご内運転盤４４−１は、３階床の建物に設置されたエレベーター４０の例であり、開ボタン４４Ａ、閉ボタン４４Ｂ、［１］呼び登録ボタン４４Ｃ、［２］呼び登録ボタン４４Ｄ、［３］呼び登録ボタン４４Ｅを備える。［１］〜［３］呼び登録ボタン４４Ｃ〜４４Ｅは、それぞれの数字で示された階への着床を登録するボタンである。
それぞれのボタン４４Ａ〜４４Ｅは通常、乗りかご１２０に乗降する乗客により押下され、乗かごの上昇、下降運転のために利用されるが、本例の場合には、携帯端末２０の操作表示部２４で指示された操作を作業者が行うためにも使用される。
【００２９】
また、乗りかご１２０の上面１２２には、かご上運転盤４４−２が配置される。かご上運転盤４４−２には、乗りかご１２０の走行や停止を指示するボタンが配置される。かご上運転盤４４−２は、保守点検などの作業時に作業者が乗りかご１２０の上面１２２に乗って、操作を行うためのものである。
【００３０】
［３．作業実績の登録動作の例］
図４は、本例のエレベーター点検作業管理システムにより行われる作業実績の登録動作の例を示すフローチャートである。図４のフローチャートにおいて、ステップＳＡ１〜ＳＡ２はサーバ１で行われる処理であり、ステップＳＢ１〜ＳＢ１５は携帯端末２０で行われる処理であり、ステップＳＣ１〜ＳＣ５はエレベーター４０で行われる処理である。
【００３１】
まず、作業者は、携帯端末２０の操作表示部２４の操作により、作業スケジュールの取得処理を開始する（ステップＳＢ１）。この操作は、作業者がエレベーターの点検を開始する前に予め行われる。携帯端末２０の制御部２２は、送受信部２１と広域ネットワーク１０を介して、サーバ１の送受信部２に作業スケジュール取得指令を送信する。これを受け付けたサーバ１は、指令があった携帯端末２０を使用する作業員についての作業スケジュールと、その作業スケジュールで示されたエレベーターの固有ＩＤの送信処理（ステップＳＡ１）を開始する。すなわち、送受信部２で指令を受けた後、作業スケジュール送信部５は、記憶部４に格納された作業スケジュール４Ａ、固有ＩＤ４Ｂを、送受信部２及び広域ネットワーク１０を介して、携帯端末２０の送受信部２１に送信する。
携帯端末２０は、記憶部２３の作業スケジュール２３Ａ及び固有ＩＤ２３Ｂの領域に、対応した受信データを格納する（ステップＳＢ２）。
【００３２】
次に、作業者がエレベーターの点検を開始する前に携帯端末２０とエレベーター４０を図示しない通信ケーブル等で接続すると共に、エレベーター４０の動作モードを保守モードに切替える（ステップＳＣ１）。
そして、携帯端末２０の制御部２２は、送受信部２１を介して、エレベーター４０の送受信部４１に対して、固有ＩＤの読出し処理（ステップＳＢ３）を開始する。これを受け付けたエレベーター４０は、記憶部４３に格納される固有ＩＤ４３Ａを、送受信部４１を介して、携帯端末２０の送受信部２１へ送信する（ステップＳＣ２）。
【００３３】
携帯端末２０は、受信した固有ＩＤを記憶部２３の固有ＩＤ２３Ｃの領域に格納する（ステップＳＢ４）。次に、比較判定部２９は、記憶部２３の固有ＩＤ２３Ｂの領域に格納されたＩＤと、固有ＩＤ２３Ｃの領域に格納されたＩＤとを比較し（ステップＳＢ５）、両者が一致するか否かを判定する（ステップＳＢ６）。このステップＳＢ６の判定で両者が一致しない場合（ステップＳＢ６のＮｏ）には、作業実績の登録を不許可とする（ステップＳＢ１３）。そして、操作表示部２４にエラーのメッセージを表示して、作業者に示した後、処理を終了する。
【００３４】
また、ステップＳＢ６での判定で両者が一致した場合（ステップＳＢ６のＹｅｓ）には、操作パターン生成部２６は、予め決められた複数のボタンを、ランダムに、かつ１つずつ順に任意選択して、生成する。なお、ここでは複数のボタンと述べたが、後述する変形例で説明するように、エレベーター４０（及びその周辺機器）に設置されたボタン以外のスイッチや各種センサの操作を含むようにしてもよい。
【００３５】
次に操作指令部２７は、操作パターン生成部２６が生成したパターンを、操作表示部２４に表示し、作業者に操作を指示する。例えば、「以下の順でエレベーターの乗かご内運転盤を操作してください。[１]⇒[３]⇒[２]⇒[閉]」のように操作表示部２４に表示する（ステップＳＢ７）。次に、作業者はこの指示を確認し、エレベーター４０の乗りかご内運転盤４４−１を操作する。
【００３６】
操作表示部２４にステップＳＢ７での押下指示があった場合、作業者は、［１］呼び登録ボタン４４Ｃ、［３］呼び登録ボタン４４Ｅ、［２］呼び登録ボタン４４Ｃ、閉ボタン４４Ｂの順で操作を行う。このとき、エレベーター４０の運転状態捕捉部４５が、エレベーター４０の各機器の動作状態を常時時系列で捕捉しており、作業者が行ったボタンの操作も捕捉し、記憶部４３の運転状態４３Ｂに格納する（ステップＳＣ３）。
【００３７】
作業者は前述の乗かご内運転盤４４−１の操作を完了すると、携帯端末２０の操作表示部２４で操作完了の操作を行う（ステップＳＢ８のＹｅｓ）。携帯端末２０は、操作完了の操作がない場合（ステップＳＢ８でＮｏ）には、完了の操作があるまで待機する。
携帯端末２０の操作表示部２４で操作完了の操作があると、エレベーター状態取得部２８は、送受信部２１を介して、エレベーター４０の送受信部４１へ運転状態４３Ｂの取得を指令する（ステップＳＢ９）。これを受けたエレベーター４０の制御部４２は、記憶部４３に格納された運転状態４３Ｂを、送受信部４１を介して、携帯端末２０の送受信部２１へ送信する（ステップＳＣ４）。この情報を受信した携帯端末２０は、受信情報を記憶部２３の運転状態２３Ｄの領域に格納する（ステップＳＢ１０）。そして比較判定部２９は、操作パターン生成部２６が生成した操作パターンと、運転状態２３Ｄを比較し、両者が一致するか否かを判定する（ステップＳＢ１１）。
【００３８】
このステップＳＢ１１の判定で両者が一致しない場合（ステップＳＢ１１のＮｏ）には、携帯端末２０は、作業実績の登録を不許可とする（ステップＳＢ１３）。そして、操作表示部２４にエラーのメッセージを表示し、作業者に示した後、処理を終了する。
また、ステップＳＢ１１の判定で両者が一致した場合（ステップＳＢ１１のＹｅｓ）には、作業実績の登録を許可し、操作表示部２４での作業実績登録を可能とする（ステップＳＢ１２）。その後、作業者は、操作表示部２４にて作業実績の登録作業を行い、登録した作業実績２３Ｅが記憶部２３に格納される。
【００３９】
そして、携帯端末２０は、操作表示部２４にて作業実績の登録完了の操作があるか否か判断する（ステップＳＢ１４）。ここで、作業実績の登録完了の操作がないと判断した場合（ステップＳＢ１４のＮｏ）、携帯端末２０は該当する作業実績の登録完了の操作があるまで待機する。また、作業者により該当する作業実績の登録完了の操作が行われると（ステップＳＢ１４でＹｅｓ）、作業実績送信部３０は、記憶部２３に格納される作業実績２３Ｅを送受信部２１と広域ネットワーク１０を介して、サーバ１の送受信部２へ送信し（ステップＳＢ１５）、処理を終了する。これを受け付けたサーバ１の制御部３は、記憶部４へ作業実績４Ｃを登録するデータ格納処理を行い、処理を終了する（ステップＳＡ２）。
また、エレベーター４０では、ステップＳＣ１で設定した保守モードを解除して、通常の動作モードに戻す処理を行う（ステップＳＣ５）。
【００４０】
以上説明したように本例によると、保守点検などの作業時には、作業を実行するエレベーターの識別ＩＤを確認した後に、携帯端末２０内で生成した操作パターンの操作を作業者に実行させて、その操作を確認するようにしたので、作業を行う号機の間違いを確実に防ぐことができる。すなわち、複数の号機のエレベーターが多数配置され、その内の１台だけの作業が必要な場合でも、その号機のエレベーターの点検作業を行ったことが、作業者による操作パターンから確認でき、作業員が、誤って別の号機のエレベーターを点検してしまうことを防ぐことができる。また、作業実績を管理する側についても、実際に点検などの作業を行ったエレベーターの情報だけを登録できるようになり、誤登録を防止できるようになる。
【００４１】
［４．変形例］
なお、上述した実施の形態例では、操作パターン生成部２６が生成する操作パターンとして、乗りかご内運転盤４４−１のボタン操作のパターンとしたが、エレベーター４０が備えるその他のボタン、スイッチ、及びセンサを組み合わせた操作パターンとしてもよい。
【００４２】
例えば、作業スケジュールで示された作業が、乗りかご１２０の上面１２２の機器の点検が必要である場合、かご上運転盤４４−２に配置されたボタンを操作するパターンとしてもよい。
また、作業スケジュールで示された作業が、機械室１０２に配置された機器の点検が必要である場合、機械室１０２に配置された機械室スイッチ１４０を操作する操作パターンとしてもよい。機械室スイッチ１４０としては、例えばガバナ１５２をオフとするスイッチがある。
【００４３】
また、作業スケジュールで示された作業が、ピット１０３の内部での点検が必要である場合、ピットスイッチ１０６を操作する操作パターンとしてもよい。このときの操作パターンで示される操作の１つとして、例えばフロートスイッチ１０５を手動で動かす操作や、地震計１０７を手動で動かす操作などの、センサに連動したスイッチを作動させる操作を組み合わせるようにしてもよい。
【００４４】
また、エレベーター４０に設置されるその他のボタンやスイッチの操作パターンとしてもよい。例えば、エレベーター４０に設置されるセフティシューや、ドアスイッチ等の各種機器、またはエレベーター４０と合わせて敷設される保守会社が設置する監視装置の各種スイッチ等、エレベーター４０に関係したあらゆる機器のボタンやスイッチに適用が可能である。
これらの操作パターンのように作業内容に応じて、その作業を行う箇所の近傍のボタンやスイッチを組み合わせた操作パターンとすることで、確実に該当箇所に作業員が入って作業を行ったことの確認ができ、より適切な作業実績の登録ができるようになる。
【００４５】
なお、操作パターン生成部２６が生成する操作パターンとしては、例えば乗りかご内運転盤４４−１のように比較的簡単に操作できる箇所については、複数のボタンの操作を組み合わせることが好ましい。しかしながら、乗りかご１２０の上面１２２やピット１０３などの点検作業時にのみ立ち入る箇所については、作業者がその箇所に行ったことを確認できればよいので、いずれか１つのボタン（又はスイッチ）の操作を指示する操作パターンであってもよい。
【００４６】
また、上述した実施の形態では、携帯端末２０は、サーバ１と広域ネットワーク１０を介した通信で、作業スケジュールや固有ＩＤの取得や作業実績の登録を行うようにした。これに対して、例えば携帯端末２０は、予め当日の作業に向かう前に、サーバ１に相当するセンタ側の機器と直接ケーブルなどで接続して、作業スケジュールや固有ＩＤを取得しておき、１日の作業が終了してセンタに戻った際に、センタ側の機器と直接ケーブルなどで接続して、作業実績を登録するようにしてもよい。
【００４７】
逆に、サーバ１と携帯端末２０が常時広域ネットワーク１０を介して通信できる場合には、操作パターン生成部２６をサーバ１側が備えて、携帯端末２０はサーバ１から指示された操作パターンを表示するようにしてもよい。この場合、比較判定部２９での判定についても、サーバ１側で行い、携帯端末２０は、サーバ１から判定結果を取得するようにしてもよい。
【００４８】
さらに、本発明は上記した実施の形態例に限定されるものではなく、様々な変形例が含まれる。例えば、上記した実施の形態例は本発明を分かりやすく説明するために詳細に説明したものであり、必ずしも説明した全ての構成を備えるものに限定されるものではない。また、実施の形態例の構成の一部について、他の構成の追加・削除・置換をすることが可能である。
【００４９】
また、上記の各構成、機能、処理部、処理手段等は、それらの一部又は全部を、例えば集積回路で設計する等によりハードウェアで実現してもよい。また、上記の各構成、機能などは、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、又は、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００５０】
１…サーバ、２…送受信部、３…制御部、４…記憶部、４Ａ…作業スケジュール、４Ｂ…固有ＩＤ、４Ｃ…作業実績、５…作業スケジュール送信部、１０…広域ネットワーク、２０…携帯端末、２１…送受信部、２２…制御部、２３…記憶部、２３Ａ…作業スケジュール、２３Ｂ…固有ＩＤ（スケジュール指示ＩＤ）、２３Ｃ…固有ＩＤ（受信ＩＤ）、２３Ｄ…運転状態、２３Ｅ…作業実績、２４…操作表示部、２５…作業スケジュール取得部、２６…操作パターン生成部、２７…操作指令部、２８…エレベーター状態取得部、２９…比較判定部、３０…作業実績送信部、４０…エレベーター、４１…送受信部、４２…制御部、４３…記憶部、４３Ａ…固有ＩＤ、４３Ｂ…運転状態、４４…運転盤、４４−１…乗りかご内運転盤、４４−２…かご上運転盤、４５…運転状態捕捉部、１０１…昇降路、１０２…機械室、１０３…ピット、１０４…緩衝器、１０５…フロートスイッチ、１０６…ピットスイッチ、１０７…地震計、１２０…乗りかご、１２１…乗りかご内部、１２２…乗りかご上面、１３１…メインロープ、１３２…巻き上げ機、１３３…釣り合いおもり、１４０…機械室スイッチ、１５１…ガバナロープ、１５２…ガバナ
【図１】
2019048712.tif 000003
【図２】
2019048712.tif 000004
【図３】
2019048712.tif 000005
【図４】
2019048712.tif 000006